(57)【特許請求の範囲】
【請求項１】
非凝縮性ガス及び凝縮物の両方を含有する様々な流量における流体流れ中の、前記非凝縮性ガスの量に関連する非凝縮性ガスパラメータを決定するための装置であって、
前記流体流れを受容し、通り抜ける前記流体流れが前記非凝縮性ガスと前記凝縮物とが交互になった複数のセクションを有するように構成される測定管と、
前記測定管の中の前記流体流れの流量に関連する流量信号を発生する流量センサと、
前記測定管の中を流れる前記非凝縮性ガスと前記凝縮物とが交互になった前記複数のセクションを経時的に観測し、観測した前記複数のセクションの相信号の特性を発生するように構成される相センサと、
前記流量信号及び前記相信号に基づいて、前記流体流れ中の前記非凝縮性ガスの量に関連する前記非凝縮性ガスパラメータを決定するように構成される非凝縮性ガス決定ユニットとを有する装置。
【請求項２】
前記相信号が、観測した前記複数のセクションの時間変化するプロファイル特性である、請求項１に記載の装置。
【請求項３】
前記非凝縮性ガス決定ユニットが、前記相信号を前記流量信号と相関させることによって、前記非凝縮性ガスパラメータを少なくとも部分的に決定するように構成される、請求項１又は２に記載の装置。
【請求項４】
前記非凝縮性ガス決定ユニットが、前記相信号から前記非凝縮性ガス及び前記凝縮物の前記複数のセクションの複数の時間長さを測定し、前記複数の時間長さを前記流量信号の対応する部分と相関させることによって、前記非凝縮性ガスパラメータを少なくとも部分的に決定するように構成される、請求項１から３のいずれか１項に記載の装置。
【請求項５】
前記非凝縮性ガス決定ユニットが、前記非凝縮性ガスの観測された前記複数のセクションの体積に比例する非凝縮性ガス体積パラメータを計算することによって、前記非凝縮性ガスパラメータを少なくとも部分的に決定するように構成される、請求項４に記載の装置。
【請求項６】
前記測定管の中の前記流体流れの温度に関連する温度信号を発生する温度センサを更に有し、
前記非凝縮性ガス決定ユニットが、前記温度信号、前記流量信号及び前記相信号に基づいて、基準温度における前記流体流れ中の前記非凝縮性ガスの量に関連する前記非凝縮性ガスパラメータを決定するように構成され、前記基準温度が、前記測定管の中の前記流体流れの温度とは異なる、請求項１から５に記載のいずれか１項の装置。
【請求項７】
前記非凝縮性ガスパラメータが、前記凝縮物の量又は前記流体流れの量に対する前記非凝縮性ガスの相対的な量を表す、請求項１から６のいずれか１項に記載の装置。
【請求項８】
前記相センサが、前記測定管の中の前記流体流れの密度に反応する超音波センサを有する、請求項１から７のいずれかに記載の装置。
【請求項９】
請求項１から８のいずれか１項に記載の装置と、
蒸気流れを受容するように構成され、前記非凝縮性ガス及び前記凝縮物の両方を含有する前記流体流れを提供するために、前記蒸気流れを凝縮するように構成されるコンデンサーとを有する、蒸気設備。
【請求項１０】
非凝縮性ガス及び凝縮物の両方を含有する様々な流量における流体流れ中の、前記非凝縮性ガスの量に関連する非凝縮性ガスパラメータを決定する方法であって、
測定管の中の前記流体流れを受容し、それによって前記測定管の中を通り抜ける前記流体流れが前記非凝縮性ガスと前記凝縮物とが交互になった複数のセクションを有するようにさせる工程と、
前記測定管の中の前記流体流れの流量に関連する流量信号を発生する工程と、
前記測定管の中を流れる前記非凝縮性ガスと前記凝縮物とが交互になった前記複数のセクションを経時的に観測する工程と、
観測された前記複数のセクションの相信号の特性を発生する工程と、
前記流量信号及び前記相信号に基づいて、前記流体流れ中の前記非凝縮性ガスの量に関連する前記非凝縮性ガスパラメータを決定する工程とを含む方法。
【請求項１１】
前記相信号が、観測された前記複数のセクションの時間変化するプロファイル特性である、請求項１０に記載の方法。
【請求項１２】
前記非凝縮性ガスパラメータを決定する工程が、前記相信号を前記流量信号と相関させる工程を含む、請求項１０又は１１に記載の方法。
【請求項１３】
前記非凝縮性ガスパラメータを決定する工程が、前記相信号から前記非凝縮性ガス及び／又は前記凝縮物の前記複数のセクションの複数の時間長さを測定する工程と、前記複数の時間長さを前記流量信号の対応する部分と相関させる工程とを含む、請求項１０から１２のいずれか１項に記載の方法。
【請求項１４】
前記非凝縮性ガスパラメータを決定する工程が、前記非凝縮性ガスの観測された前記複数のセクションの体積に比例する非凝縮性ガス体積パラメータを計算する工程を含む、請求項１３に記載の方法。
【請求項１５】
前記測定管の中の前記流体流れの温度に関連する温度信号を発生する工程を更に含み、
前記非凝縮性ガスパラメータが、前記温度信号、前記流量信号及び前記相信号に基づいて、基準温度における前記流体流れ中の前記非凝縮性ガスの量に関連するように決定され、前記基準温度が、前記測定管の中の前記流体流れの温度とは異なる、請求項１０から１４に記載の方法。
【発明の詳細な説明】
【技術分野】
【０００１】
本発明は、非凝縮性ガス及び凝縮物の両方を含有する流体流れ中の、非凝縮性ガスの量に関連する非凝縮性ガスパラメータを決定するための装置及び方法に関する。
【背景技術】
【０００２】
蒸気流れ中の空気のような非凝縮性ガスの存在は、蒸気流れの特性を著しく変化させることができる。例えば、非凝縮性ガスは、蒸気流れの伝熱特性に影響する可能性がある。更に、非凝縮性ガスは、過熱蒸気領域及び飽和蒸気領域のように蒸気流れ中に不均一な蒸気特性を引き起こす可能性がある。
【０００３】
多くの産業工程において、蒸気流れ中の非凝縮性ガスの量は最小限にすることが望ましい。そのような１つの例が、例えば医療産業及び製薬産業における蒸気流れ中の製品及び／又は装置の殺菌である。蒸気流れ中の非凝縮性ガスの量が多すぎる場合、蒸気流れと装置との間の熱伝達率が装置を適切に殺菌するには不十分となる可能性がある。
【０００４】
蒸気サンプルを凝縮させ、その結果生じる非凝縮性ガス及び凝縮物を採集することによって、蒸気流れ中の非凝縮性ガスの量を測定する方法が知られている。欧州標準ＥＮ２８５は、殺菌への適用においては、凝縮物１００ｍｌに対して非凝縮性ガス３．５ｍｌ、又は非凝縮性ガス３．５％を安全性限界として規定している。
【０００５】
非凝縮性ガスは、多数の方法によって蒸気システムに入り込む可能性がある。例えば、非凝縮性ガスは、硬水軟化のような水処理中の過度のエアレーションによって入り込むことができる。更に、ボイラーへの注水が十分に予熱されていない場合、非凝縮性ガス（例えば空気）は、より低い温度においては、より簡単に水に吸収されるため、非凝縮性ガスがボイラー上流の蒸気システムに入り込むことができる。ボイラーから要求される蒸気量が増加し、そのためにプレヒーターを通り抜けてボイラーへ注入される水の流量が増加した場合、不十分な予熱が様々な要望の蒸気システムにおいて起こる可能性がある。
【０００６】
米国特許第４８３１８６７号では、蒸気流れの一部を抽出し、非凝縮性ガスの泡及び凝縮物の液滴を含有する、実質的に一定流量である流体流れを提供するために、抽出した蒸気流れの一部を凝縮させることによって、蒸気流れ中の非凝縮性ガスの割合を見積もる方法及び装置が開示されている。光学センサは、非凝縮性ガスの泡が光学センサを通過した累積時間と、凝縮物の滴が光学センサを通過した累積時間とを記録する。センサを通過する各々のガスの長さと凝縮物の長さとの比は一定であって、流量は実質的に一定であると仮定される。結果的に、この方法及び装置は、蒸気流れ中の非凝縮性ガスの割合を推定するために、センサを通過して流れるガス及び凝縮物の累積時間のみを比較している。
【０００７】
しかしながら、流体流れの流量が変動する場合、及び各蒸気流れが様々な割合の非凝縮性ガスを有する場合、この非凝縮性ガスの割合の推定値は不正確である可能性がある。
【発明の概要】
【０００８】
結果的に、流体流れ中の非凝縮性ガスの量を測定するために、改善された装置及び方法を提供することが望まれる。
【０００９】
本発明の第１の観点によって、非凝縮性ガス及び凝縮物の両方を含有する様々な流量における流体流れ中の、非凝縮性ガスの量に関連する非凝縮性ガスパラメータを決定するための装置が提供される。この装置は、流体流れを受容し、通り抜ける流体流れが非凝縮性ガスと凝縮物とが交互になった複数のセクションを有するように構成される測定管と、測定管の中の流体流れの流量に関連する流量信号を発生する流量センサと、測定管の中を流れる非凝縮性ガスと凝縮物とが交互になった複数のセクションを経時的に観測し、観測した前述の複数のセクションの相信号の特性を発生するように構成される相センサと、流量信号及び相信号に基づいて、流体流れ中の非凝縮性ガスの量に関連する非凝縮性ガスパラメータを決定するように構成される非凝縮性ガス決定ユニットとを有する。
【００１０】
相信号は、観測した前述の複数のセクションの時間変化するプロファイル特性であってもよい。相信号は、観測した前述の複数のセクションの時間長さの特性であってもよい。相センサは、測定管の中を流れる流体流れの相を測定するように構成されてもよい。相センサは、測定管の中を流れる流体流れが、凝縮物又は非凝縮性ガスのどちらであるかを決定するように構成されてもよい。
【００１１】
流量信号は、時間変化する流量信号であってもよい。流量信号は、流体流れの流速に関連してもよい。
【００１２】
非凝縮性ガス決定ユニットは、相信号を流量信号と相関させることによって、非凝縮性ガスパラメータを少なくとも部分的に決定するように構成されてもよい。相信号を流量信号と相関させる工程は、相信号を流量信号上に、又はその逆にマッピングする工程を含んでもよい。相信号を流量信号と相関させる工程は、相信号の複数の部分を流量信号の複数の部分と組合せる工程を含んでもよい。非凝縮性ガス決定ユニットは、非凝縮性ガス及び／又は凝縮物の複数のセクションの複数の時間長さを相信号から決定することと、複数の時間長さを流量信号の対応する複数の部分と相関させることとによって、非凝縮性ガスパラメータを少なくとも部分的に決定するように構成されてもよい。
【００１３】
非凝縮性ガス決定ユニットは、観測した非凝縮性ガスの複数のセクションの体積に比例するガス体積パラメータを計算することによって、非凝縮性ガスパラメータを少なくとも部分的に決定するように構成されてもよい。
【００１４】
非凝縮性ガス決定ユニットは、観測した凝縮物の複数のセクションの体積に比例する凝縮物体積パラメータを計算することによって、非凝縮性ガスパラメータを少なくとも部分的に決定するように構成されてもよい。非凝縮性ガス決定ユニットは、ガス体積パラメータと凝縮物体積パラメータとの比、又はガス体積パラメータとガス体積パラメータ及び凝縮物体積パラメータの合計との比である、非凝縮性ガス割合パラメータを計算することによって、非凝縮性ガスパラメータを少なくとも部分的に決定するように構成されてもよい。非凝縮性ガスパラメータは、非凝縮性ガス割合パラメータに比例してもよい。
【００１５】
この装置は、測定管の中の流体流れの温度に関連する温度信号を発生する温度センサを更に有してもよく、非凝縮性ガス決定ユニットは、温度信号、流量信号及び相信号に基づいて、基準温度における流体流れ中の非凝縮性ガスの量に関連する非凝縮性ガスパラメータを決定するように構成されてもよい。非凝縮性ガスパラメータは、基準温度に関連する信号又は量に基づいて、少なくとも部分的に決定されてもよく、この信号又は量は基準温度でもよい。基準温度は、測定管の中の流体流れの温度と異なってもよい。理想気体の法則によって説明されるガスの体積への温度影響によって、基準温度における流体流れ中の非凝縮性ガスの量は、例えば、支配的な温度条件（すなわち測定管の中の流体流れの実際の温度）における流体流れ中の非凝縮性ガスの量とは異なってもよい。
【００１６】
非凝縮性ガス決定ユニットは、観測した非凝縮性ガスの複数セクションの体積に比例する非凝縮性ガス体積パラメータを計算することと、測定管の中の流体流れの温度及び基準温度に基づいて非凝縮性ガス体積パラメータをスケール調整することとによって、基準温度における流体流れ中の非凝縮性ガスの量に関連する非凝縮性ガスパラメータを少なくとも部分的に決定するように構成されてもよい。非凝縮性ガス決定ユニットは、基準温度と測定管の中の流体流れの温度との比に基づいて、非凝縮性ガス体積パラメータをスケール調整するように構成されてもよい。
【００１７】
この装置は、測定管の中の流体流れの温度が基準温度よりも低くなるように構成されてもよい。この装置は、測定管の中の流体流れの温度が約４０℃になるように構成されてもよい。基準温度は８０℃でもよい。
【００１８】
この装置は、測定管の中の圧力に関連する圧力信号を発生する圧力センサを更に有してもよく、非凝縮性ガス決定ユニットは、圧力信号、流量信号及び相信号に基づいて、基準圧力における流体流れ中の非凝縮性ガスの量に関連する非凝縮性ガスパラメータを決定するように構成されてもよい。非凝縮性ガスパラメータは、基準圧力に関連する信号又は量に基づいて、少なくとも部分的に決定されてもよく、この信号又は量は基準圧力でもよい。基準圧力は、測定管の中の流体流れの圧力とは異なってもよい。
【００１９】
非凝縮性ガス決定ユニットは、観測した非凝縮性ガスの複数のセクションの体積に比例する非凝縮性ガス体積パラメータを計算することと、測定管の中の流体流れの圧力及び基準圧力に基づいて、非凝縮性ガス体積パラメータをスケール調整することとによって、基準圧力における流体流れ中の非凝縮性ガスの量に関連する非凝縮性ガスパラメータを少なくとも部分的に決定するように構成されてもよい。非凝縮性ガス決定ユニットは、基準圧力と測定管の中の流体流れの圧力との比に基づいて、非凝縮性ガス体積パラメータをスケール調整するように構成されてもよい。
【００２０】
この装置は、測定管の中の流体流れの圧力が基準圧力より高く又は低くなるように構成されてもよい。基準圧力は、大気圧又は大気圧付近でもよい。基準圧力は、１ａｔｍ又は１ｂａｒでもよい。
【００２１】
非凝縮性ガスパラメータは、凝縮物の量又は流体流れの量に対する非凝縮性ガスの相対的な量を表してもよい。
【００２２】
非凝縮性ガス決定ユニットは、１サンプリング周期中の非凝縮性ガスパラメータを決定してもよく、１サンプリング周期中に非凝縮性ガスと凝縮物とが交互になった多数のセクションが測定管の中を流れる。
【００２３】
相センサは、測定管の中の流体流れの屈折率に応答する光学センサを有してもよい。相センサは、測定管の中の流体流れの密度に応答する超音波センサを有してもよい。
【００２４】
流量センサは、超音波流量計を有してもよい。
【００２５】
この装置は、流体流れから非凝縮性ガスを放出させるガスベントを更に有してもよい。ガスベントは、相センサの下流及び流量センサの上流に設置してもよい。
【００２６】
本発明の第２の観点によって蒸気設備が提供され、この設備は、本発明の第１の観点に基づく装置と、蒸気流れを受容するように構成され、非凝縮性ガス及び凝縮物の両方を含有する流体流れを提供するために、蒸気流れを凝縮するように構成されるコンデンサーとを有する。
【００２７】
設備は、主蒸気流れから蒸気流れを抽出する蒸気抽出器を更に有してもよい。蒸気抽出器は、主蒸気流れから抽出された蒸気流れの流量が、主蒸気流れの圧力に依存するように構成されてもよい。
【００２８】
本発明の第３の観点によって、非凝縮性ガス及び凝縮物の両方を含有する様々な流量における流体流れ中の、非凝縮性ガスの量に関連する非凝縮性ガスパラメータを決定する方法が提供される。この方法は、測定管の中の流体流れを受容し、それによって測定管の中の流体流れが非凝縮性ガスと凝縮物とが交互になった複数のセクションを有するようにさせる工程と、測定管の中の流体流れの流量に関連する流量信号を発生する工程と、測定管の中を流れる非凝縮性ガスと凝縮物とが交互になった複数のセクションを経時的に観測する工程と、観測した前述の複数のセクションの相信号の特性を発生する工程と、流量信号及び相信号に基づいて、流体流れ中の非凝縮性ガスの量に関連する非凝縮性ガスパラメータを決定する工程とを有する。
【００２９】
相信号は、観測した前述の複数のセクションの時間変化するプロファイル特性でもよい。相信号は、観測した前述の複数のセクションの複数の時間長さの特性でもよい。前述の複数のセクションを経時的に観測する工程は、測定管の中を流れる流体流れの相を測定する工程を含んでもよい。前述の複数のセクションを観測する工程は、測定管の中を流れる流体流れが凝縮物又は非凝縮性ガスのどちらであるかを決定する工程を含んでもよい。
【００３０】
流量信号は、時間変化する流量信号でもよい。流量信号は、流体流れの流速に関連してもよい。
【００３１】
非凝縮性ガスパラメータを決定する工程は、相信号を流量信号と相関させる工程を含んでもよい。相信号を流量信号と相関させる工程は、流量信号の上に相信号をマッピングする工程、又はその逆の工程を含んでもよい。非凝縮性ガスパラメータを決定する工程は、相信号から非凝縮性ガス及び／又は凝縮物の複数のセクションの複数の時間長さを測定する工程と、複数の時間長さを流量信号の対応する部分と相関させる工程とを含んでもよい。
【００３２】
非凝縮性ガスパラメータを決定する工程は、観測した非凝縮性ガスの複数のセクションの体積に比例する、非凝縮性ガス体積パラメータを計算する工程を含んでもよい。
【００３３】
非凝縮性ガスパラメータを決定する工程は、観測した凝縮物の複数のセクションの体積に比例する凝縮物の体積パラメータを計算する工程を含んでもよい。非凝縮性ガスパラメータを決定する工程は、ガス体積パラメータと凝縮物体積パラメータとの比、又はガス体積パラメータとガス体積パラメータ及び凝縮物体積パラメータの合計との比を決定することによって、非凝縮性ガス割合パラメータを計算する工程を含んでもよい。非凝縮性ガスパラメータは、非凝縮性ガス割合パラメータに比例してもよい。
【００３４】
この方法は、測定管の中の流体流れの温度に関連する温度信号を発生する工程を更に含んでもよく、非凝縮性ガスパラメータは、温度信号、流量信号及び相信号に基づいて、基準温度における流体流れ中の非凝縮性ガスの量に関連するように決められる。この決定は、基準温度に関連する信号又は量に基づいてもよく、この信号又は量は基準温度でもよい。基準温度は、測定管の中の流体流れの温度と異なってもよい。
【００３５】
非凝縮性ガスパラメータを決定する工程は、観測した非凝縮性ガスの複数のセクションの体積に比例する、非凝縮性ガス体積パラメータを計算する工程と、測定管の中の流体流れの温度及び基準温度に基づいて、非凝縮性ガス体積パラメータをスケール調整する工程とを含んでもよい。非凝縮性ガス体積パラメータのスケール調整は、基準温度と測定管の中の流体流れの温度との比に基づいてもよい。
【００３６】
測定管の中の流体流れの温度は、基準温度より低くてもよい。測定管の中の流体流れの温度は、約４０℃でもよい。基準温度は８０℃でもよい。
【００３７】
この方法は、測定管の中の流体流れの圧力に関連する圧力信号を発生する工程を更に含んでもよく、非凝縮性ガスパラメータは、圧力信号、流量信号及び相信号に基づいて、基準圧力における流体流れ中の非凝縮性ガスの量に関連してもよく、基準圧力は測定管の中の流体流れの圧力とは異なる。この決定は、基準圧力に関連する信号又は量に基づいてもよく、この信号又は量は基準圧力でもよい。基準圧力は、測定管の中の流体流れの圧力とは異なってもよい。
【００３８】
非凝縮性ガスパラメータを決定する工程は、観測した非凝縮性ガスの複数のセクションの体積に比例する非凝縮性ガス体積パラメータを計算する工程と、測定管の中の流体流れの圧力及び基準圧力に基づいて、非凝縮性ガス体積パラメータをスケール調整する工程とを含んでもよい。非凝縮性ガス体積パラメータのスケール調整は、基準圧力と測定管の中の流体流れの圧力との比に基づいてもよい。
【００３９】
測定管の中の流体流れの圧力は、基準圧力より高い又は低い。基準圧力は、大気圧又は大気圧付近でもよい。基準圧力は、１ａｔｍ又は１ｂａｒでもよい。
【００４０】
非凝縮性ガスパラメータは、凝縮物の量又は流体流れの量に対する非凝縮性ガスの相対的な量を表してもよい。
【００４１】
非凝縮性ガスパラメータを決定する工程は、１サンプリング周期中に実行されてもよく、１サンプリング周期中に非凝縮性ガスと凝縮物とが交互になった多数のセクションが測定管の中を流れる。
【００４２】
この方法は、前述の複数のセクションを観測し、前述の複数のセクションの相信号の特性を発生する相センサの下流、及び流量信号を発生する流量センサの上流の位置において、流体流れから非凝縮性ガスを放出させる工程を更に含んでもよい。本発明の第４の観点によって、本発明の第３の観点に基づく非凝縮性ガスパラメータを決定する方法を有し、更に、蒸気流れを受容する工程と、非凝縮性ガス及び凝縮物の両方を含有する流体流れを提供するために、蒸気流れを凝縮する工程とを有する蒸気設備の作動方法が提供される。
【００４３】
この方法は、主蒸気流れから蒸気流れを抽出する工程を更に含んでもよい。主蒸気流れから抽出された蒸気流れの流量は、主蒸気流れの圧力に依存してもよい。
【００４４】
本発明の第５の観点によって、非凝縮性ガス及び凝縮物の両方を含有する流体流れ中の、非凝縮性ガスの量に関連する非凝縮性ガスパラメータを決定するための装置が提供される。この装置は、流体流れを受容し、通り抜ける流体流れが非凝縮性ガスと凝縮物とが交互になった複数のセクションを有するように構成される測定管と、測定管の中を流れる非凝縮性ガスと凝縮物とが交互になった複数のセクションを経時的に観測し、観測した前述の複数のセクションの相信号の特性を発生するように構成される相センサと、測定管の中の流体流れの温度に関連する温度信号を発生する温度センサと、相信号及び温度信号に基づいて、基準温度における流体流れ中の非凝縮性ガスの量に関連する非凝縮性ガスパラメータを決定するように構成される非凝縮性ガス決定ユニットとを有する。基準温度は、測定管の中の流体流れの温度と異なってもよい。
【００４５】
本発明の第６の観点によって、非凝縮性ガス及び凝縮物の両方を含有する流体流れ中の、非凝縮性ガスの量に関連する非凝縮性ガスパラメータを決定するための装置が提供され、この装置は、流体流れを受容し、通り抜ける流体流れが非凝縮性ガスと凝縮物とが交互になった複数のセクションを有するように構成される測定管と、測定管の中を流れる非凝縮性ガスと凝縮物とが交互になった複数のセクションを経時的に観測し、観測した前述の複数のセクションの相信号の特性を発生するように構成される相センサと、測定管の中の流体流れの圧力に関連する圧力信号を発生する圧力センサと、相信号及び圧力信号に基づいて、基準圧力における流体流れ中の非凝縮性ガスの量に関連する非凝縮性ガスパラメータを決定するように構成される非凝縮性ガス決定ユニットとを有する。基準圧力は、測定管の中の流体流れの圧力と異なってもよい。
【００４６】
本発明の第５及び／又は第６の観点に基づく装置に係る非凝縮性ガス決定ユニットは、観測した非凝縮性ガスの複数のセクションの体積に比例する非凝縮性ガス体積パラメータを計算することによって、非凝縮性ガスパラメータを少なくとも部分的に決定するように構成されてもよい。非凝縮性ガス体積パラメータは、例えば流量が実質的に一定である流体流れに対しては、流量を観測することなく、非凝縮性ガスの複数のセクションの複数の時間長さに基づいて計算されてもよい。
【００４７】
本発明の第５及び第６の観点に基づく装置は、測定管において受容された流体流れの流量が実質的に一定になるように構成される流量調整器を有してもよい。
【００４８】
本発明の第５及び第６の観点に基づく装置は、相互に矛盾するような特性を除いて、本発明の他の観点において規定されるいずれの特性及び制約を有してもよい。
【００４９】
本発明の第７の観点によって、非凝縮性ガス及び凝縮物の両方を含有する流体流れ中の、非凝縮性ガスの量に関連する非凝縮性ガスパラメータを決定する方法が提供され、この方法は、測定管の中に流体流れを受容し、それによって測定管の中の流体流れが非凝縮性ガスと凝縮物とが交互になった複数のセクションを有するようにさせる工程と、測定管の中を流れる非凝縮性ガスと凝縮物とが交互になった複数のセクションを経時的に観測する工程と、観測した前述の複数のセクションの相信号の特性を発生する工程と、測定管の中の流体流れの温度に関連する温度信号を発生する工程と、相信号及び温度信号に基づいて、基準温度における流体流れ中の非凝縮性ガスの量に関連する非凝縮性ガスパラメータを決定する工程とを有する。基準温度は、測定管の中の流体流れの温度と異なってもよい。
【００５０】
本発明の第８の観点によって、非凝縮性ガス及び凝縮物の両方を含有する流体流れ中の、非凝縮性ガスの量に関連する非凝縮性ガスパラメータを決定する方法が提供され、この方法は、測定管の中に流体流れを受容し、それによって測定管の中の流体流れが非凝縮性ガスと凝縮物とが交互になった複数のセクションを有するようにさせる工程と、測定管の中を流れる非凝縮性ガスと凝縮物とが交互になった複数のセクションを経時的に観測する工程と、観測した前述の複数のセクションの相信号の特性を発生する工程と、測定管の中の流体流れの圧力に関連する圧力信号を発生する工程と、相信号及び圧力信号に基づいて、基準圧力における流体流れ中の非凝縮性ガスの量に関連する非凝縮性ガスパラメータを決定する工程とを有する。基準圧力は、測定管の中の流体流れの圧力と異なってもよい。
【００５１】
本発明の第７及び／又は第８の観点に基づく方法に係る、非凝縮性ガスパラメータを決定する工程は、観測した非凝縮性ガスの複数のセクションの体積に比例する非凝縮性ガス体積パラメータを計算する工程を含んでもよい。非凝縮性ガス体積パラメータは、例えば流量が実質的に一定である流体流れに対しては、流量を観測することなく、非凝縮性ガスの複数のセクションの複数の時間長さに基づいて計算されてもよい。
【００５２】
本発明の第７及び／又は第８の観点に基づく方法は、測定管において受容した流体流れの流量が実質的に一定になるように、流体流れを調整する工程を更に含んでもよい。
【００５３】
本発明の第７及び／又は第８の観点に基づく方法は、相互に矛盾するような特性を除いて、本発明の他の観点において規定されるいずれの特性及び制約を有してもよい。
【００５４】
本発明は、相互に矛盾するような特性の組合せを除いて、ここにおいて言及された特性及び／又は制約のいずれの組合せを有してもよい。
【図面の簡単な説明】
【００５５】
本発明の実施形態は、例として添付の図を参照して説明される。
【図１】図１は、本発明の実施形態１に係る装置を示す概略図である。
【図２】図２は、相信号及び流量信号の一例を示す概略図である。
【図３】図３は、本発明の実勢形態２に係る装置を示す概略図である。
【図４】図４は、本発明の実施形態３に係る装置を示す概略図である。
【発明を実施するための形態】
【００５６】
図１は、蒸気システム１０の一部と、蒸気システム１０から送られた、様々な流量における流体流れ中の非凝縮性ガスの量を測定するための測定装置２０とを示す。
【００５７】
蒸気システム１０は、ボイラー１２と、主蒸気流れのための主蒸気流路１４とを有する。測定装置２０は分岐路２２を有し、分岐路２２は主蒸気流路１４に接続され、コンデンサー２４へ主蒸気流路１４から抽出した蒸気を搬送する。コンデンサー２４は、非凝縮性ガス及び凝縮物の両方を含有する流体流れを提供する。
【００５８】
測定装置２０は、測定管２６と、相センサ２８と、ガスベント３０と、流量センサ３２と、非凝縮性ガス決定ユニット３４と、ディスプレイ３５及びアラーム３７とを更に有する。
【００５９】
測定管２６は、コンデンサー２４から流体流れを受容するように構成され、測定管２６中を流れる流体流れが非凝縮性ガス（すなわち気泡）と凝縮物（すなわち液滴）とが交互になった複数のセクションを有するように、十分に小さい直径を有する。測定管２６の直径は、例えば０．５ｍｍから０．４ｍｍの間、又は１ｍｍから２ｍｍの間でもよい。
【００６０】
この実施形態では、測定管２６は超音波気泡センサである相センサ２８を通って伸長している。従って、測定管２６において相センサ２８を通って伸長している部分は、超音波の伝播に適合するような材料から形成される。この実施形態では、測定管２６において相センサ２８を通り抜けて伸長している部分は、ＰＴＦＥのように高い温度耐性を有するプラスチック材料から成る。測定管２６において相センサ２８を通って伸長している部分は、取付けを補助するようにある程度の柔軟性も有する。
【００６１】
超音波気泡センサ２８は、観測している位置における測定管２６中の流体流れが、非凝縮性ガス又は凝縮物のどちらなのかを検知することができる。超音波気泡センサ２８は、測定管２６の片側に超音波パルス発信器と、測定管２６の反対側に受信器とを有する。作動する場合、パルス発信器は超音波パルスを発信し、超音波パルスは測定管２６及び流体流れを通り抜け、受信器において受信される。受信器において受信された信号の減衰度に従って、パルスが非凝縮性ガスのセクション又は凝縮物のセクションのどちらを通り抜けたのか決定することができる。
【００６２】
ガスベント３０は、相センサ２８の下流の測定管２６の終端に接続される。ガスベント３０は、測定管２６から流体流れを受容し、そこから非凝縮性ガスを取除く。ガスベント３０は、ガスがガスベント３０に流れこんだ場合に開くガス放出弁を有する自動的な部品である。ガスベント３０は、非凝縮性ガスを排出するガス排出路３６と、凝縮物用の液体出口ポート３８とを有する。ガスベント３０は、スパイラックス・サーコ（登録商標）のＡＥ３０空気抜き弁のような、任意の適合する自動的なガスベントでもよい。
【００６３】
流量センサ３２は、ガスベント３０の液体出口ポート３８から伸長している流路４０に接続される。この実施形態では、流量センサ３２は超音波流量センサであり、流路４０は流量センサ３２を通って伸長している。超音波流量センサ３２は、超音波パルスを流路４０の上流及び下流の両方向から伝播させることによって、流路４０中の流体流れの流量を観測するように構成される。流量センサ３２は、伝播した超音波パルスを受信する受信器を上流及び下流に有する。流量センサ３２は、上流及び下流の両方向から流体流れを通り抜けたパルスの伝播時間と、流体流れの流速に関連する上流の伝播時間と下流の伝播時間との差とを測定する。流量センサ３２は、流体流れの流速に関連する時間変化する流量信号を発生するように構成される。
【００６４】
非凝縮性ガス決定ユニット３４は、相センサ２８及び流量センサ３２に接続され、各センサから相信号及び流量信号を受信する。この実施形態では、相信号及び流量信号は有線の接続を用いて非凝縮性ガス決定ユニット３４に送信されるが、他の実施形態では、相信号及び／又は流量信号は無線接続を用いて送信されてもよい。非凝縮性ガス決定ユニット３４は、相信号及び流量信号の両方を用いることによって、流体流れ中の非凝縮性ガスの量に関連する非凝縮性ガスパラメータを決定するように構成される。この実施形態では、非凝縮性ガス決定ユニット３４は、流体流れ中の非凝縮性ガスの割合に関連する非凝縮性ガスパラメータを（体積によって）決定するために、相信号を流量信号と相関させるように構成される。
【００６５】
この実施形態では、非凝縮性ガス決定ユニット３４は、相信号及び流量信号を受信するための複数のインプットと、ディスプレイ３５及びアラーム３７のためのアウトプットとを有する専用ユニットである。しかしながら、他の実施形態では、非凝縮性ガス決定ユニット３４は、ディスプレイ３５及びアラーム３７を内蔵してもよいし、又は適切なソフトウェアを備えたコンピュータであってもよい。
【００６６】
測定装置２０は、ディスプレイ３５と、アラーム３７とを更に有する。ディスプレイ３５は、非凝縮性ガスパラメータが更新された場合はいつでも更新されるように構成される。アラーム３７は、非凝縮性ガスパラメータが、非凝縮性ガスの量が閾値よりも高いことを示唆した場合、作動されるように構成される。
【００６７】
様々な流量における流体流れ中の非凝縮性ガスを測定する方法は、図１の測定装置２０を参照することによって説明される。
【００６８】
ボイラー１２は、使用される場合、主蒸気流路１４を流れる主蒸気流れを生成するために、プレヒータ（図には示していない）から受容した水を沸騰させる。主蒸気流れは、空気のような非凝縮性ガス及び蒸気を含む。主蒸気流れの一部は、分岐路２２からコンデンサー２４へと流れ落ち、コンデンサー２４において非凝縮性ガス及び凝縮物を含有する流体流れを提供するために凝縮される。
【００６９】
流体流れは測定管２６に受容され、測定管２６の直径の小ささによって、非凝縮性ガスの泡と凝縮物の液滴とが交互になった複数のセクションを形成する。非凝縮性ガスと凝縮物とが交互になった複数のセクションは、メニスカス部によって仕切られ、測定管２６の端から端まで様々な流速において流れる。非凝縮性ガスの複数のセクション、すなわち複数の泡は、測定管２６の全直径を占め、様々な長さを有する。
【００７０】
流体流れは測定管２６の中を流れ、超音波気泡センサ２８を通過する。超音波気泡センサ２８は、超音波パルスを１ｓあたり１００，０００回発信及び受信する。超音波気泡センサ２８は、各パルスの減衰度に従って、超音波気泡センサ２８を通過する流体流れの相を決定し、各超音波パルスにおける流体流れの相を示す対応する相信号を発生する。相信号は、経時的な流体流れの相のプロファイルを提供し、有線接続によって非凝縮性ガス決定ユニット３４に送信される。
【００７１】
超音波気泡センサ２８の下流では、流体流れがガスベント３０に入り込み、ガス排出路３６を介して非凝縮性ガスが流体流れから取除かれる。この実施形態では、ガスは大気へ放出されるが、他の実施形態では、取除かれたガスは集められ、熱回収ユニットへ搬送されてもよい。流体流れは、これ以降実質的に凝縮物のみを有し、流路４０へ入るために、液体出口ポート３８を通ってガスベント３０から出る。
【００７２】
流体流れが、流路４０の中を流れ、超音波流量センサ３２を通過すると、流量センサ３２は流体流れの流速に関連する流量信号を発生する。この信号は、有線接続によって非凝縮性ガス決定ユニット３４へと送信される。この実施形態では、流量センサ３２は、毎秒流体流れの流速をｍ／ｓ単位を用いて測定するように調整され、対応する流量信号を発生する。ただし、流体流れの実際の流速を決定する必要は厳密にはないが、流速に関連する信号又は比例する信号だけは決定する必要があることが理解されよう。
【００７３】
非凝縮性ガス決定ユニット３４は、相センサ２８から相信号を、流量センサ３２から流量信号を受信する。この実施形態では、流量信号は経時的な流体流れの流速に相当し、毎秒更新される。流量センサ３２はガスベント３０の下流に設置されるため、流量信号は流体流れの一部である凝縮物に基づく。ただし、流体流れ中の非凝縮性ガスの割合が一般的に低いことによって、流体流れの一部である凝縮物の流量は、凝縮物及び非凝縮性ガスの両方を含有する複合的な流体流れの流量の代表値となる。相信号は、１ｓあたり１００，０００回、すなわち各超音波パルスが１０μｓの間隔として、相センサ２８を通過する流体流れの相を示す。非凝縮性ガス又は凝縮物のいずれの特定セクションの時間長さも、１０μｓより著しく長いことから、非凝縮性ガス決定ユニット３４は非凝縮性ガス又は凝縮物の各セクションの時間長さを正確に決定することができる。
【００７４】
非凝縮性ガス決定ユニット３４は、非凝縮性ガス又は凝縮物の各セクションに対して、時間長さを流量信号の対応する部分と相関させる。流量信号は１ｓごとに更新されるため、非凝縮性ガス決定ユニット３４は、非凝縮性ガス又は凝縮物の各セクションに対応する流量信号の部分に対して、流速を内挿する。
【００７５】
非凝縮性ガス決定ユニット３４は、各セクションの時間長さ及び相関させた流速を用いて、各セクションの体積を決定する。非凝縮性ガス決定ユニット３４は、１サンプリング周期である１ｍｉｎ間に、非凝縮性ガスの複数のセクションの累積体積、及び凝縮物の複数のセクションの累積体積を測定する。
【００７６】
この実施形態では、非凝縮性ガス決定ユニット３４は、各サンプリング周期中に、凝縮物の体積に対する非凝縮性ガスの比例体積に相当する非凝縮性ガスパラメータを決定する。例えば、非凝縮性ガス決定ユニット３４は、サンプリング周期中に、凝縮物の体積を１００ｍｌ、非凝縮性ガスの体積を３ｍｌと測定した場合、非凝縮性ガスパラメータを３％と決めるだろう。
【００７７】
非凝縮性ガスパラメータは、ディスプレイ３５に表示され、ディスプレイ３５は各サンプリング周期の終わりに更新される。
【００７８】
この実施形態では、アラーム３７は、非凝縮性ガスパラメータが３．５％を超えた場合に作動されるように構成され、この値はＥＮ２８５で規定された殺菌への適用における安全性の限界値と一致する。この実施形態では、アラーム３７は可聴式のアラームであるが、視覚式のアラーム又は遠隔式のアラームのように、他の種類のアラームでもよい。
【００７９】
非凝縮性ガス決定ユニット３４は非凝縮性ガスの実際の体積を決定する必要はないが、非凝縮性ガスの体積に関連する又は比例する非凝縮性ガスパラメータを決定する必要があるということは、理解されよう。例えば、流体流れ中の凝縮物の量に対する非凝縮性ガスの相対的な量は、非凝縮性ガス及び凝縮物の実際の量を知ることなく、相対的な量に比例するパラメータを決定することによって決定されてもよい。そのため、非凝縮性ガス及び凝縮物の複数のセクション各々の時間長さ又は相対的な時間長さを測定し、これらを関連する流量信号の一部と相関させることだけが必要となる。
【００８０】
同様に、非凝縮性ガスの相対的な量を計算するために、流量信号から実際の流速を求めることは必要ではない。流量信号が流速に関連する又は比例するということは、非凝縮性ガスと凝縮物との相対的な体積を決定するのに十分である。
【００８１】
本発明の実施形態では、流量信号から実際の流速を求める場合、非凝縮性ガス決定ユニット３４は、非凝縮性ガスの時間長さ及び測定管２６の直径と流速とを乗算することによって、非凝縮性ガスの実際の体積を決定することができる。流路４０の直径と測定管２６の直径が異なる場合は、非凝縮性ガス決定ユニット３４は測定管２６の中の流速を流量センサ３２における流速に基づいて再計算できることが理解されよう。
【００８２】
（例）
本発明は、例として簡略化された流体流れを用いて説明される。
【００８３】
この例では、非凝縮性ガス決定ユニット３４は、１０ｓのサンプリング周期中に、非凝縮性ガスパラメータを決定する。サンプリング周期の初めの５ｓ間に対し、流体流れの流速が２ｍ／ｓ、凝縮物と非凝縮性ガスとが交互になったセクションの時間長さは、各々１ｓ及び０．０２ｓとする。５ｓ後からは、流速は５ｍ／ｓに増加し、凝縮物と非凝縮性ガスとが交互になったセクションの時間長さは、各々１ｓ及び０．０４ｓ（サンプリング周期の最後における凝縮物のセクションは０．７ｓ間のみ観測された）とする。
【００８４】
結果として、サンプリング周期１０ｓの内、非凝縮性ガスのセクションの時間長さの増加及び流体流れの流速の増加によって、最後の５ｓ間に非凝縮性ガスの流れが増加する。
【００８５】
図２は、サンプリング周期中の対応する相信号及び流量信号を示す。
【００８６】
各セクションの時間長さに基づいて、流体流れ中の凝縮物に対する非凝縮性ガスの相対的な割合を推定すると、非凝縮性ガスの推定値は３％と算出される。
【００８７】
しかしながら、非凝縮性ガス及び凝縮物各々の体積に基づいて、流体流れ中の凝縮物に対する非凝縮性ガスの相対的な割合を測定すると、測定値は３．５％となる。
【００８８】
非凝縮性ガス及び凝縮物各々の体積に基づいた測定値は、凝縮物のセクションに対して非凝縮性ガスのセクションの時間長さが増加した、最後５ｓ間の流体流れの流量の増加量を考慮しているため、より正確である。
【００８９】
図３は、本発明に係る測定装置３０の実施形態２を示し、測定装置３０は、測定管２６と、流量センサ３２と、相センサ２８と、非凝縮性ガス決定ユニット３４とを有する。
【００９０】
測定装置３０の実施形態２は、主蒸気流路から蒸気流を抽出する手段と、コンデンサーとを有さないという点において実施形態１と異なる。測定装置３０は、吸入口４２で流体流れを受容するように構成される。
【００９１】
更に、測定装置３０の実施形態２は、流量センサ３２を相センサ２８の上流に備え、ガスベントがないという点において実施形態１と異なる。
【００９２】
結果として、流量センサ３２は、使用される場合、流体流れ中の非凝縮性ガスの一部及び凝縮物の一部に基づいた流量信号を発生する。対照的に、実施形態１の流量センサ３２は、流体流れ中の凝縮物の一部に基づいた流量信号を発生する。他の実施形態では、ペルトンホイール型流量センサが流量に関連するパラメータを決定してもよく、一定の間隔において対応する信号を発生してもよい。
【００９３】
実施形態２では、流量センサ３２はペルトンホイール型流量センサである。流量センサ３２は、使用される場合、流体流れの流量に関連する周波数の信号を発生する。非凝縮性ガス決定ユニット３４は、流体流れの流量に関連するパラメータを決定するために、周波数を読み取る。
【００９４】
実施形態２では、相センサ２８は、米国特許第４８３１８６７号（請求項４、５）において説明されているタイプの光学センサであり、そのため、測定管２６において光学センサに接続されている又は光学センサを通っている部分は、透明又は半透明である。測定管２６におけるこの部分は、ガラス又はプラスチック材料のような、凝縮物の屈折率とよく一致する屈折率を有する材料から形成される。例えば、凝縮物の屈折率は１．３３、ガラス製の測定管の屈折率は１．５でもよい。
【００９５】
光学センサは、周期的に光線を放出する光線発信器と、受信器とを有する。光学センサが使用された場合、凝縮物のセクションが光学センサを通過したときは、光線は比較的小さい角度において屈折するため、受信器が光線を検知できる。しかしながら、非凝縮性ガスのセクションが光学センサを通過したときは、光線はより大きい角度において屈折するため、受信器は光線を検知できない。結果として、光学センサは、測定管２６の中の凝縮物又は非凝縮性ガスの存在を検知することができる。実施形態１の超音波気泡センサのように、光学センサは毎秒１００，０００回のように、高い周波数の光を放出する。
【００９６】
本発明の実施形態１のように、非凝縮性ガス決定ユニット３４は、流量センサ３２によって発生される流量信号及び相センサ２８によって発生される相信号に基づいて、流体流れ中の非凝縮性ガスの量に関連する非凝縮性ガスパラメータを決定する。
【００９７】
更なる実施形態では、容積式流量計又は歯車式流量計のように、他のタイプの流量計や流量センサが使用される。
【００９８】
図４に、本発明に係る測定装置４４の実施形態３を示す。測定装置４４の実施形態３は、温度センサ４６を更に有するという点において実施形態１とは異なり、更に温度センサ４６は、コンデンサー２４と相センサ２８との間に設置され、測定管２６中の流体流れの温度に関連する信号を発生するように構成される。
【００９９】
この実施形態では、測定装置４４の非凝縮性ガス決定ユニット３４は、各サンプリング周期中、凝縮物の体積に対する非凝縮性ガスの調整された比例体積に相当する非凝縮性ガスパラメータを決定するように構成される。調整された比例体積は、予め設定された温度における非凝縮性ガスの体積に関連する。
【０１００】
例えば、ＥＮ２８５に規定された殺菌への適用における安全性の限界値は、温度８０℃（大気圧）において非凝縮性ガスの体積分率３．５％である。気体の圧縮率のため、非凝縮性ガスの体積分率は流体流れの温度及び圧力に依存する。結果として、非凝縮性ガス決定ユニット３４は、測定管２６中の流体流れの温度と８０℃のように予め設定された温度との温度差を考慮して、相信号及び流量信号に基づいて計算された体積分率を調整するように構成される。この調整は、下記の数式１から３に示すように理想気体の法則に基づいてなされる。下記の式では、Ｐは圧力、Ｖは体積、Ｔは温度、ｎはガスの量（モルを用いて測定）、Ｒは気体定数を示す。
【０１０１】
【数１】
0006019077.tif 000002
【０１０２】
【数２】
0006019077.tif 000003
【０１０３】
【数３】
0006019077.tif 000004
【０１０４】
そのため、圧力が一定であると仮定すれば、第１の温度Ｔ１における一定の物質量（すなわち一定の質量）におけるガスの体積は、第２の温度Ｔ２における同じ物質量の体積を計算するために、Ｔ２とＴ１との比によってスケール調整されることがわかる。非凝縮性ガス決定ユニット３４は、例えば８０℃のように予め設定された温度Ｔ２における非凝縮性ガスの相当する体積分率を決定するために、４０℃のように温度Ｔ１において測定されたガスの体積分率を調整するように構成される。測定管２６中の流体流れの温度Ｔ１は、温度センサ４６からの温度信号に基づいて決定される。
【０１０５】
測定装置４４は、使用される場合、本発明の実施形態１に関して上記において説明したように作動する。更に、温度センサ４６は測定管２６中の流体流れの温度Ｔ１に関連する信号を発生する。非凝縮性ガス決定ユニット３４は、流体流れが異なる基準温度Ｔ２であった場合、流体流れ中に存在するであろう非凝縮性ガスの体積分率に関連する、調整された非凝縮性ガスパラメータを決定する。
【０１０６】
他の実施形態では、測定装置４４は、測定管２６中の流体流れの圧力Ｐ１を観測する圧力センサを有してもよく、圧力Ｐ１は上記の調整された体積の計算に取入れられてもよい。例えば、測定管２６の中の圧力Ｐ１が１．２ｂａｒ、調整された体積分率の計算を目的として、基準圧力Ｐ２は１ｂａｒとしてもよい。圧力センサに追加して又は代わりに温度センサ４６を備えてもよい。
【０１０７】
測定管２６の中以外の圧力及び／又は温度条件における非凝縮性ガスの量を反映した非凝縮性ガスパラメータを決定するということは、業界規格の試験条件のように予め設定された作動条件を反映して非凝縮性ガスパラメータを決定することができるということであり、その間装置は予め設定された以外の条件において作動させることが可能となる。
【０１０８】
例えば、予め設定された条件は、工業規格ＥＮ２８５に規定されているように、非凝縮性ガスの量が規定された大気圧及び温度８０℃の条件において限界割合の３．５％を超えているかどうか判定するために、大気圧及び温度８０℃としてもよい。しかしながら、装置は異なる圧力及び／又は温度条件において作動させることができる。例えば、装置はより低い約４０℃の温度において作動させてもよい。装置をより低い温度において作動させることは、一般的には低い温度における作動による安価性、及び／又は使用される設備の単純性を意味するため、利点となる。
【０１０９】
本発明の測定装置及び方法は、関連する蒸気流れを適用した場合の適合性を評価するために、非凝縮性ガス及び凝縮物を含有する流体流れ中の非凝縮性ガスの量を、より正確に決定することができる。非凝縮性ガス及び凝縮物の複数のセクションの相対的な時間長さに基づいて、非凝縮性ガスの量を推定することとは対照的に、本発明の測定装置及び方法は、非凝縮性ガスと凝縮物とが交互になった複数のセクションの相信号の特性及び流体流れの流量に関連する流量信号に基づいて、非凝縮性ガスの量を決定する。結果として、本発明の測定装置及び方法は、非凝縮性ガスパラメータが流体流れ中の非凝縮性ガスの実際の体積に関連するように、相信号及び流量信号を相関させることによって、非凝縮性ガスの量を決定できるようにする。
【０１１０】
特に、本発明の測定装置及び方法は、様々な流量における流体流れにおいて、流体流れ中の非凝縮性ガスの量をより正確に測定できるようにする。例えば、本発明の測定装置及び方法は、流量が関連する蒸気流れの圧力又は流量に依存するような場所への適用に特に適合する。
【０１１１】
本発明の複数の実施形態では、非凝縮性ガス又は凝縮物の各々のセクションの時間長さは、非凝縮性ガス決定ユニット３４によって測定されると説明したが、他の実施形態では、時間長さは相センサ２８によって測定されてもよく、相信号は各時間長さに直接関連してもよいと理解されよう。更に、相信号は、流体流れの相が非凝縮性ガスから凝縮物に切替わる、又はその逆に切替わる時間に関連してもよい。更に、相センサ２８は、各相のサンプリング周期中の各相の時間の比を測定してもよく、相信号は各相のサンプリング周期における時間の比に関連してもよい。相信号は、相のサンプリング周期中の、非凝縮性ガスのセクションの時間長さ又は相対的な時間長さを導き出すことができる、あらゆる形式をとってよい。
【０１１２】
流体流れの流量に関連する流量信号についての言及は、流体流れの流量に実質的に比例するパラメータは、流量信号から導かれること示唆していることが理解されよう。流量センサ３２がガスベント３０の下流に取付けられ、流体流れ中の凝縮物の一部に基づいて流量信号を発生した場合、全体として非凝縮性ガスの一部は流体流れの極一部しか占めないため、流量信号は流体流れの流量に実質的に関連する。
【符号の説明】
【０１１３】
１０  蒸気システム、
１２  ボイラー、
１４  主蒸気流路、
２０、３０、４４  測定装置、
２２  分岐路、
２４  コンデンサー、
２６  測定管、
２８  位相センサ、
３０  ガスベント、
３２  流量センサ、
３４  非凝縮性ガス測定ユニット、
３５  ディスプレイ、
３６  ガス排出路、
３７  アラーム、
３８  液体出口ポート、
４０  流路、
４２  吸入口。
【図１】
0006019077.tif 000005
【図２】
0006019077.tif 000006
【図３】
0006019077.tif 000007
【図４】
0006019077.tif 000008